(57)【要約】【課題】パケット通信における規制の誤制御を防止することができる交換機、及びそれを用いた通信規制制御方法を提供する。【解決手段】パケット交換機４ａ，４ｂは、ユーザ情報取得部４０５と、ユーザ情報記憶部４０６と、契約情報取得部４０７と、変更判定部４０８と、リセット部４０９とを備えている。ユーザ情報取得部４０５は、移動通信端末２が位置登録エリア変更前のパケット交換機４ａからユーザ情報を取得する。ユーザ情報記憶部４０６は、ユーザ情報取得部４０５が取得したユーザ情報を記憶する。契約情報取得部４０７は、端末管理装置から契約情報を取得する。変更判定部４０８は、ユーザ情報記憶部４０６が記憶している契約情報と契約情報取得部４０７が取得した契約情報とに変更があるか否かを判定する。リセット部４０９は、変更判定部４０８の判定結果に基づいて規制情報をリセットする。【選択図】  図４
2010045590.tif 000002
【特許請求の範囲】
【請求項１】
移動体通信網に含まれ、移動通信端末からの位置登録要求を受信して位置登録を行う端末管理装置に転送し、配下の在圏エリアに在圏する前記移動通信端末との間で通信を行う交換機であって、
前記移動通信端末からの前記位置登録要求を受けた場合に、当該移動通信端末が自機の配下の在圏エリアに移動する前に在圏していた交換機から、前記自機において前記移動通信端末の通信を規制するための規制情報及び契約情報を取得する情報取得手段と、
前記情報取得手段によって取得された前記規制情報及び前記契約情報を記憶する情報記憶手段と、
前記移動通信端末からの前記位置登録要求を受けた場合に、前記移動通信端末の前記契約情報を管理する前記端末管理装置から契約情報を取得する契約情報取得手段と、
前記契約情報取得手段によって取得された前記契約情報と、前記情報記憶手段に記憶されている前記契約情報とを比較し、前記契約情報に変更があるか否かを判定する変更判定手段と、
前記変更判定手段によって前記契約情報に変更があると判定された場合に、前記情報記憶手段に記憶されている前記契約情報を前記契約情報取得手段によって取得された前記契約情報に更新すると共に、前記情報記憶手段に記憶されている前記規制情報をリセットするリセット手段と、を備えることを特徴とする交換機。
【請求項２】
移動体通信網に含まれ、移動通信端末からの位置登録要求を受信して位置登録を行う端末管理装置に転送し、配下の在圏エリアに在圏する前記移動通信端末との間で通信を行う交換機による通信規制制御方法であって、
前記移動通信端末からの前記位置登録要求を受けた場合に、当該移動通信端末が自機の配下の在圏エリアに移動する前に在圏していた交換機から、前記自機において前記移動通信端末の通信を規制するための規制情報及び契約情報を取得する情報取得ステップと、
前記情報取得ステップにおいて取得された前記規制情報及び前記契約情報を記憶する情報記憶ステップと、
前記移動通信端末からの前記位置登録要求を受けた場合に、前記移動通信端末の前記契約情報を管理する端末管理装置から契約情報を取得する契約情報取得ステップと、
前記契約情報取得ステップにおいて取得された前記契約情報と、前記情報記憶手段に記憶されている前記契約情報とを比較し、前記契約情報に変更があるか否かを判定する変更判定ステップと、
前記変更判定ステップにおいて前記契約情報に変更があると判定された場合に、前記情報記憶ステップにおいて記憶されている前記契約情報を前記契約情報取得ステップにおいて取得された前記契約情報に更新すると共に、前記情報記憶ステップにおいて記憶されている前記規制情報をリセットするリセットステップと、を含むことを特徴とする通信規制制御方法。
【発明の詳細な説明】
【技術分野】
【０００１】
本発明は、交換機、及びそれを用いた通信規制制御方法に関する。
【背景技術】
【０００２】
近年、移動通信端末のパケット通信において、データ送受信の大容量化に応じて定額課金サービスが採用されている。この定額課金サービスを利用するユーザは、一定の料金でデータの送受信を行うことができるため、従量課金サービスのユーザに比べて大容量のデータ送受信を行う傾向にある。そのため、サービスを提供する事業者は、従量課金サービスのユーザの回線速度等といったサービス品質に影響を与えないように、無線リソースの有効活用を目的として、定額課金サービスのユーザのパケット通信をパケット使用量に応じて規制している（例えば、特許文献１参照）。パケット通信の規制は、例えば通信中に累積パケット量が所定の閾値を超えた場合には、パケット交換機において通信先とのセッションを切断し、所定時間が経過するまでに再接続されたときには、接続拒否を行うものである。このような規制に関する規制情報は、移動通信端末の位置登録エリアの移動に合わせてパケット交換機間で情報の引継ぎが行われる。
【特許文献１】特開２００７−３６８０５号公報
【発明の開示】
【発明が解決しようとする課題】
【０００３】
ところで、上述のパケット通信の規制では、ユーザの契約プラン（契約情報）毎に規制の内容（例えば、累積パケット量の閾値）が異なるため、契約プランの変更が行われた場合には、規制が実施されているユーザであっても、その時点で適用されている規制情報がリセットされる。ここで、契約プランの変更を示す情報の移動体通信システムへの投入と、移動通信端末の位置登録エリアの変更とがほぼ同じタイミングで行われた場合には、位置登録が行われている間に、規制情報が移動通信端末が位置登録エリアを移動する前のパケット交換機から移動先の位置登録エリアのパケット交換機に送信されることになる。この場合、移動通信端末の移動先の位置登録エリアのパケット交換機においては、ＨＬＲ（Home Location Register）等といった装置から契約プランに関する更新処理がされた後の契約プランを受信することになるので、契約プランが変更されたことを検出することができない。そのため、パケット交換機において、本来リセットされるべき規制情報のリセットがされず、規制が継続されるといった誤制御が生じる。これにより、上記のタイミングで位置登録エリアを変更したユーザに対して、最適なサービスを提供することができないといった問題が生じるおそれがあった。
【０００４】
本発明は、以上の問題点を解決するためになされたものであり、パケット通信における規制の誤制御を防止することができる交換機、及びそれを用いた通信規制制御方法を提供することを目的とする。
【課題を解決するための手段】
【０００５】
上記の目的を達成するために、本発明に係る交換機は、移動体通信網に含まれ、移動通信端末からの位置登録要求を受信して位置登録を行う端末管理装置に転送し、配下の在圏エリアに在圏する移動通信端末との間で通信を行う交換機であって、移動通信端末からの位置登録要求を受けた場合に、移動通信端末が自機の配下の在圏エリアに移動する前に在圏していた交換機から、自機において移動通信端末の通信を規制するための規制情報及び契約情報を取得する情報取得手段と、情報取得手段によって取得された規制情報及び契約情報を記憶する情報記憶手段と、移動通信端末からの位置登録要求を受けた場合に、移動通信端末の契約情報を管理する端末管理装置から契約情報を取得する契約情報取得手段と、契約情報取得手段によって取得された契約情報と、情報記憶手段に記憶されている契約情報とを比較し、契約情報に変更があるか否かを判定する変更判定手段と、変更判定手段によって契約情報に変更があると判定された場合に、情報記憶手段に記憶されている契約情報を契約情報取得手段によって取得された契約情報に更新すると共に、情報記憶手段に記憶されている規制情報をリセットするリセット手段と、を備えることを特徴とする。
【０００６】
この構成により、移動通信端末から位置登録要求を受けると、移動通信端末が自機の配下の在圏エリアに移動する前に在圏していた交換機から規制情報及び契約情報を取得して記憶する。そして、端末管理装置から契約情報を取得し、情報記憶手段に記憶されている契約情報と端末管理装置から取得した契約情報とを比較することで変更があるか否かを判定し、変更がある場合には契約情報を更新すると共に、規制情報をリセット（クリア）する。これにより、移動体通信システムへの契約情報の変更を示す情報の投入と、移動通信端末の位置登録エリアの変更とがほぼ同じタイミングで行われた場合であっても、交換機において契約情報の変更を検出することができるので、規制情報を確実にリセットすることができる。したがって、パケット通信における規制の誤制御を防止することができる。
【０００７】
本発明は、上記のように交換機の発明として記述できる他に、以下のように通信規制制御方法の発明としても記述することができる。これはカテゴリが異なるだけで、実質的に同一の発明であり、同様の作用及び効果を奏する。
【０００８】
即ち、本発明に係る通信規制制御方法は、移動体通信網に含まれ、移動通信端末からの位置登録要求を受信して位置登録を行う端末管理装置に転送し、配下の在圏エリアに在圏する移動通信端末との間で通信を行う交換機による通信規制制御方法であって、移動通信端末からの位置登録要求を受けた場合に、移動通信端末が自機の配下の在圏エリアに移動する前に在圏していた交換機から、自機において移動通信端末の通信を規制するための規制情報及び契約情報を取得する情報取得ステップと、情報取得ステップにおいて取得された規制情報及び契約情報を記憶する情報記憶ステップと、移動通信端末からの位置登録要求を受けた場合に、移動通信端末の契約情報を管理する端末管理装置から契約情報を取得する契約情報取得ステップと、契約情報取得ステップにおいて取得された契約情報と、情報記憶手段に記憶されている契約情報とを比較し、契約情報に変更があるか否かを判定する変更判定ステップと、変更判定ステップにおいて契約情報に変更があると判定された場合に、情報記憶ステップにおいて記憶されている契約情報を契約情報取得ステップにおいて取得された契約情報に更新すると共に、情報記憶ステップにおいて記憶されている規制情報をリセットするリセットステップと、を含むことを特徴とする。
【発明の効果】
【０００９】
本発明によれば、交換機において契約情報の変更を検出することができるので、移動体通信システムに契約情報の変更を示す情報が投入されるタイミングと、移動通信端末の位置登録エリアの変更とがほぼ同じタイミングで行われた場合であっても、規制情報を確実にリセットすることができる。これにより、パケット通信における規制の誤制御を防止することができる。
【発明を実施するための最良の形態】
【００１０】
以下、図面と共に本発明に係る交換機、及びそれを用いた通信規制制御方法の好適な実施形態について詳細に説明する。なお、図面の説明においては同一要素には同一符号を付し、重複する説明を省略する。
【００１１】
図１に、本発明の一実施形態に係る交換機を含む移動体通信システムの構成を示す。同図に示すように、移動体通信システム１は、移動通信端末２と、基地局３と、パケット交換機４ａ，４ｂ（４）と、端末管理装置５とを含んで構成されている。図１には、移動通信端末２は１つしか示されていないが、移動体通信システム１には、通常、無数の移動通信端末２が含まれている。
【００１２】
位置登録エリア（在圏エリア）Ｌ１は、パケット交換機４ａが包括するエリアであり、当該位置登録エリアＬ１には、基地局３の他に複数の基地局が含まれている。同様に、位置登録エリアＬ２は、パケット交換機４ｂが包括するエリアであり、当該位置登録エリアＬ２にも、基地局３の他に複数の基地局が含まれている。また、基地局３、パケット交換機４、及び端末管理装置５は、移動通信端末２の接続対象となる移動通信体網を構成している。この移動通信体網には、図示しない無線制御装置（ＲＮＣ：Radio Network Controller）や認証装置（ＶＬＲ：Visitor LocationRegister）等がさらに設けられている。なお、以下の実施形態においては、移動通信端末２がセル移行の際に、位置登録エリアＬ１から位置登録エリアＬ２へと位置登録エリアを跨ぐこととする。
【００１３】
移動通信端末２は、例えば携帯電話機であり、自機が在圏する無線エリアをカバーする基地局３と無線通信を行い、移動体通信網に接続して、ユーザの操作に応じて、移動体通信網における通話サービス又はパケット通信サービスを受ける通信端末である。
【００１４】
パケット交換機４ａ，４ｂは、通信サービスを提供するサービス事業者によって管理される装置であり、基地局３を経由して移動通信端末２との間で通信を行うノードである。パケット交換機４ａ，４ｂは、パケット通信の規制をするための規制情報に基づいて、移動通信端末２のパケット通信の規制の制御を行う。パケット交換機４ａ，４ｂとしては、ＳＧＳＮ（Serving GPRS Support Node）が該当する。
【００１５】
ここで、パケット交換機４ａ，４ｂにおける移動通信端末２のパケット通信の規制について説明する。パケット通信の規制は、サービス事業者が移動通信端末２のパケット通信における通信料金の課金形態を、従量課金サービスと定額課金サービスとの２種類提供している場合、従量課金サービスのユーザの好適な通信環境を維持するために行われるものである。規制の内容としては、定額課金サービスのユーザのパケット通信の接続の拒否等であり、これは移動通信端末２のユーザの例えば１ヶ月の累積パケット量に応じて行われる。具体的には、例えばユーザの加入している定額課金サービスにおいて、累積パケット量の閾値が例えば１００００パケットに設定されている場合に、ユーザの累積パケット量がその閾値を超えると、接続先とのセッションが切断されると共に、サービス事業者によって一定時間（０〜９９９分）の接続拒否が行われるものである。
【００１６】
端末管理装置５は、通信サービスを提供するサービス事業者によって管理される装置であり、移動通信端末２の位置登録や契約情報の管理等を行うノードである。端末管理装置５は、サービス事業者から移動通信端末２の契約情報に関する変更情報が投入されると、保持されている契約情報の更新や設定等といった所定の処理を実施する。端末管理装置５としては、ＨＬＲ（Home Location Register）が該当する。なお、契約情報とは、移動通信端末２の通話や通信の課金形態を示す契約プランである。
【００１７】
図２は、パケット交換機４ａ，４ｂのハードウェア構成を示す図である。図２に示すように、パケット交換機４は、ＣＰＵ４１、主記憶装置であるＲＡＭ４２及びＲＯＭ４３、ネットワークカード等のデータ送受信デバイスである通信モジュール４４、ハードディスク等の補助記憶装置４５等のハードウェアを備えるコンピュータとして構成される。これらの構成要素が動作することにより、パケット交換機４ａ，４ｂの後述する機能が発揮される。なお、端末管理装置５も、同様のハードウェア構成を有する。
【００１８】
引き続いて、移動通信端末２、パケット交換機４ａ，４ｂ、及び端末管理装置５の機能について説明する。
【００１９】
図３は、移動通信端末２の構成を示すブロック構成図である。図３に示すように、移動通信端末２は、位置登録要求部２０１と、位置登録応答受信部２０２とを備えている。なお、移動通信端末２は、通話を行うための通話機能や通信を行うための通信機能等を更に備えている。
【００２０】
位置登録要求部２０１は、現在位置から最も近い基地局３から受信される報知情報に基づき、自機が位置登録エリアの変更を伴うセル移行を行ったことが検知された際に、自機の現在位置について位置登録をするように要求する位置登録要求情報（RA Update Request、括弧内に示す信号名はＧＰＲＳ（General Packet Radio Service）に準拠するものである。以下同様）をパケット交換機４ａ，４ｂに送信する。位置登録要求情報には、移動通信端末２を識別できる例えば電話番号等といった識別情報が含まれている。また、位置登録要求情報には、移動通信端末２が現在在圏する位置登録エリアに移動する前に在圏していた位置登録エリアのパケット交換機を特定する情報が含まれている。
【００２１】
位置登録応答受信部２０２は、位置登録要求部２０１から位置登録要求情報を送信したことに応じて、パケット交換機４ａ，４ｂから送信された位置登録要求情報に対する位置登録応答（RA Update Accept）を受信する。位置登録は、移動通信端末２が位置登録応答を受信することによって正常に終了する。
【００２２】
図４は、パケット交換機４ａ，４ｂの構成を示すブロック構成図である。図４に示すように、パケット交換機４ａ，４ｂは、位置登録要求受信部４０１と、位置登録要求転送部４０２と、位置登録応答送信部４０３と、ユーザ情報要求部４０４と、ユーザ情報取得部４０５と、ユーザ情報記憶部４０６と、契約情報取得部４０７と、変更判定部４０８と、リセット部４０９と、規制制御部４１０と、ユーザ情報要求受信部４１１と、ユーザ情報送信部４１２とを備えている。
【００２３】
位置登録要求受信部４０１は、移動通信端末２から位置登録要求情報を受信する。位置登録要求受信部４０１は、受信した位置登録要求情報を位置登録要求転送部４０２及びユーザ情報要求部４０４に出力する。
【００２４】
位置登録要求転送部４０２は、位置登録要求受信部４０１から位置登録要求情報を受け取ると、端末管理装置５に位置登録要求情報（Combined Update Location Request）を転送する。位置登録要求転送部４０２は、端末感知装置５に位置登録要求情報を転送した旨を、位置登録応答送信部４０３及び契約情報取得部４０７に通知する。
【００２５】
位置登録応答送信部４０３は、位置登録要求転送部４０２が位置登録要求情報を端末管理装置５に転送したことに応じて、端末管理装置５から送信された位置登録情報（Insert Subscriber Date Request）を受信し、当該位置登録情報に基づいて位置登録応答を生成して移動通信端末２に送信する。
【００２６】
ユーザ情報要求部４０４は、位置登録要求受信部４０１から位置登録要求情報を受け取ると、移動通信端末２が現在の位置登録エリアＬ２に移動する前に在圏していた位置登録エリアＬ１のパケット交換機４ａに、移動通信端末２のユーザ情報を要求するユーザ情報要求情報（SGSN Context Request）を送信する。ユーザ情報要求部４０４は、位置登録要求情報に基づいて、ユーザ情報要求情報を送信するパケット交換機４ａを特定する。ユーザ情報とは、移動通信端末２の規制情報、及び契約情報が含まれている情報である。また、ユーザ情報要求情報には、要求するユーザ情報に係る移動通信端末２の識別情報が含まれている。
【００２７】
ユーザ情報取得部４０５は、ユーザ情報要求部４０４がユーザ情報要求情報を送信したことに応じて、移動通信端末２が現在の位置登録エリアＬ２に移動する前に在圏していた位置登録エリアＬ１のパケット交換機４ａから送信されたユーザ情報（SGSN Context Response）を受信して取得する情報取得手段である。ユーザ情報取得部４０５は、取得したユーザ情報をユーザ情報記憶部４０６に出力する。
【００２８】
ユーザ情報記憶部４０６は、ユーザ情報取得部４０５によって取得されたユーザ情報を記憶する情報記憶手段である。ユーザ情報記憶部４０６は、ユーザ情報取得部４０５からユーザ情報を受け取ると、移動通信端末２の識別情報と規制情報及び契約情報とを対応付けて加入者プロファイルとして記憶する。図５は、ユーザ情報が記憶されている一例を示す図である。図５に示すように、ユーザ情報のテーブルでは、移動通信端末２を識別する識別情報である「電話番号」と、ユーザが契約している契約プランの形態を示す「契約情報」と、パケット通信の規制の有無を示す「規制情報」とが対応付けて保持されている。規制情報においては、「１」がパケット通信が規制されていることを示し、「０」が規制されていないことを示している。
【００２９】
ここで、規制情報について説明する。規制情報には、規制の有無を示す情報と、規制が有る場合に接続拒否を行う時間を示す情報と、規制が行われている場合に、規制が開始されてからの経過時間を示す情報と、移動通信端末２の累積パケット量を示す情報とが含まれている。規制情報は、規制の有無（０，１）が移動通信端末２の例えば１ヶ月間の累積パケット量が契約プラン毎に設定された所定の閾値を超えたか否かによって設定され、累積パケット量が所定の閾値を超えた場合には「０」から「１」に設定される。この規制の有無は、予め設定された接続拒否を行う一定時間が経過した場合、及び契約情報の変更が通知された場合に、リセット（「１」から「０」、「０」から「０」に変更）される。また、通常、累積パケット量は１ヶ月毎にリセットされるので、それに伴い規制の有無もリセットされる。
【００３０】
契約情報取得部４０７は、移動通信端末２の契約情報を管理する端末管理装置５から契約情報を取得する契約情報取得手段である。契約情報取得部４０７は、位置登録要求転送部４０２から端末管理装置５へと位置登録要求情報が転送されたことに応じて、端末管理装置５から送信された移動通信端末２の契約情報（Insert Subscriber DateRequest）を受信して取得する。契約情報取得部４０７は、取得した契約情報を変更判定部４０８に出力する。
【００３１】
変更判定部４０８は、契約情報取得部４０７によって取得された契約情報と、ユーザ情報記憶部４０６に記憶されている契約情報とを比較し、契約情報に変更があるか否かを判定する変更判定手段である。変更判定部４０８は、契約情報取得部４０７から契約情報を受け取ると、ユーザ情報記憶部４０６に記憶されている移動通信端末２の契約情報と比較する。そして、変更判定部４０８は、契約情報取得部４０７によって取得された契約情報と、ユーザ情報記憶部４０６に記憶されている契約情報とに変更があると判定した場合には、リセット部４０９にリセット情報を出力する。契約情報の変更とは、例えば「契約プランＡ」から「契約プランＢ」への変更である。
【００３２】
リセット部４０９は、変更判定部４０８によって契約情報に変更があると判定された場合に、ユーザ情報記憶部４０６に記憶されている契約情報を契約情報取得部４０７によって取得された契約情報に更新すると共に、ユーザ情報記憶部４０６に記憶されている規制情報をリセットするリセット手段である。リセット部４０９は、変更判定部４０８からリセット情報を受け取ると、ユーザ情報記憶部４０６に記憶されている契約情報を契約情報取得部４０７で取得された契約情報に更新する。また、リセット部４０９は、契約情報を更新すると、当該契約情報に対応付けられている移動通信端末２の規制情報をリセットする。リセットとは、図５において、規制情報が「１」の場合には、「０」にすることである。つまり、移動通信端末２のパケット通信の規制を解除することである。
【００３３】
規制制御部４１０は、規制情報に基づいて、移動通信端末２におけるパケット通信の規制を制御する。具体的に、規制制御部４１０は、ユーザ情報記憶部４０６に記憶されている規制情報を参照し、規制情報が「１」である移動通信端末２のパケット通信の接続を、サービス事業者によって予め設定された所定時間拒否する。なお、パケット通信の接続を拒否する時間は、予め設定されずに、サービス事業者によってユーザ毎にその都度任意に調整されてもよい。
【００３４】
ユーザ情報要求受信部４１１は、自機以外のパケット交換機からユーザ情報要求情報を受信する。ユーザ情報要求受信部４１１は、受信したユーザ情報要求情報をユーザ情報送信部４１２に出力する。
【００３５】
ユーザ情報送信部４１２は、ユーザ情報要求部受信部４１１からユーザ情報要求情報を受け取ると、当該ユーザ情報要求情報に対応するユーザ情報を、ユーザ情報記憶部４０６を参照して抽出し、ユーザ情報要求情報を送信したパケット交換機に送信する。なお、ユーザ情報送信部４１２は、規制情報と契約情報とを同時にユーザ情報として送信してもよいし、規制情報と契約情報とをそれぞれ別々にユーザ情報として送信してもよい。
【００３６】
図６は、端末管理装置５の構成を示すブロック構成図である。図６に示すように、端末管理装置５は、変更情報取得部５０１と、契約情報記憶部５０２と、位置登録要求受信部５０３と、位置登録部５０４と、契約情報送信部５０５とを備えている。
【００３７】
変更情報取得部５０１は、サービス事業者によって移動通信端末２の契約情報の変更に関する変更情報がサービスオーダーシステムから移動体通信システム１に投入された場合に、その変更情報から契約情報を取得する。変更情報の投入は、移動通信端末２のユーザが、サービス事業者の窓口や移動体通信網を介して通信を行う端末において契約情報の手続きがなされた際になされる。変更情報取得部５０１は、取得した契約情報を契約情報記憶部５０２に出力する。なお、変更情報には、移動通信端末２を識別するための識別情報が含まれている。
【００３８】
契約情報記憶部５０２は、変更情報取得部５０１から契約情報を受け取ると、移動通信端末２の識別情報と対応付けて記憶する。
【００３９】
位置登録要求受信部５０３は、パケット交換機４ａ，４ｂから移動通信端末２の位置登録要求情報を受信する。位置登録情報受信部５０３は、受信した位置登録要求情報を位置登録部５０４に出力する。
【００４０】
位置登録部５０４は、位置登録要求受信部５０３から位置登録要求情報を受け取ると、位置管理データベース（図示しない）に位置登録に係る情報を格納する。位置管理データベースには、移動通信端末２の識別情報と、当該移動通信端末２が位置する位置登録エリアを示す情報とが対応付けて格納される。なお、位置登録部５０４による位置登録処理自体は、従来の位置登録処理と同様である。位置登録部５０４は、位置登録処理が完了したことを示す位置登録情報を契約情報送信部５０５に出力する。
【００４１】
契約情報送信部５０５は、位置登録部５０４から位置登録情報を受け取ると、位置登録処理が行われた移動通信端末２に対応する契約情報を契約情報記憶部５０２を参照して抽出し、位置登録要求情報を転送したパケット交換機４ａ，４ｂに送信する。また、契約情報送信部５０５は、位置登録情報も併せてパケット交換機４ａ，４ｂに送信する。なお、契約情報送信部５０５は、変更情報取得部５０１によって移動通信端末２の契約情報の変更に関する更新情報が取得された場合には、移動通信端末２が在圏する位置登録エリアのパケット交換機に契約情報を送信する。
【００４２】
引き続いて、図７を参照して、本実施形態に係る移動体通信システム１で実行される処理（通信規制制御方法）について説明する。図７は、移動通信体システム１の処理を示すシーケンス図である。なお、図７に示す処理は、移動通信端末２におけるセル移行が位置登録エリアを跨いだとき（在圏移動）に行われるものであり、パケット交換機４ａの配下の位置登録エリアＬ１からパケット交換機４ｂの配下の位置登録エリアＬ２へと移動した場合とする。また、図７に示す処理では、位置登録エリアの変更と同時に、サービス事業者から契約情報に関する変更情報が移動体通信システム１に投入されるものとする。また、移動通信端末２においては、規制情報が１に設定、すなわちパケット通信の規制がなされているものとする。
【００４３】
図７に示すように、まず移動通信端末２から、位置登録エリアの変更（Ｌ１からＬ２）に伴い位置登録要求情報がパケット交換機４ｂへと送信される（Ｓ０１）。このとき、移動通信端末２から位置登録要求情報が送信されたタイミングとほぼ同時期に、サービス事業者から移動通信端末２の契約情報に関する変更情報が移動体通信システム１（端末管理装置５）に投入される（Ｓ０２）。移動通信端末２から送信された位置登録要求情報は、基地局３を介してパケット交換機４ｂの位置登録要求受信部４０１によって受信される。そして、位置登録要求情報を受信したことに応じて、ユーザ情報要求部４０４によってユーザ情報要求情報がパケット交換機４ａへと送信される（Ｓ０３）。
【００４４】
次に、パケット交換機４ａのユーザ情報要求受信部４１１によってユーザ情報要求情報が受信され、それに応じてユーザ情報送信部４１２によってユーザ情報がパケット交換機４ｂに送信される（Ｓ０４）。パケット交換機４ａから送信されたユーザ情報は、パケット交換機４ｂのユーザ情報取得部４０５によって受信されることにより取得され（情報取得ステップ）、ユーザ情報記憶部４０６に記憶される（Ｓ０５、情報記憶ステップ）。
【００４５】
また、移動通信端末２から位置登録要求情報が送信されると、パケット交換機４ｂの位置登録要求転送部４０２によって、その位置登録要求情報が端末管理装置５に転送される（Ｓ０６）。パケット交換機４ｂから転送された位置登録要求情報は、端末管理装置５の位置登録要求受信部５０３によって受信され、位置登録部５０４によって位置登録がなされる（Ｓ０７）。
【００４６】
位置登録部５０４によって位置登録がなされると、端末管理装置５からパケット交換機４ｂへと契約情報送信部５０５によって契約情報及び位置登録情報が送信される（Ｓ０８）。端末管理装置５から送信された契約情報は、パケット交換機４ｂの契約情報取得部４０７によって受信され（契約情報取得ステップ）、変更判定部４０８によってユーザ情報記憶部４０６に記憶されている契約情報と比較されることにより、契約情報に変更があるか否かが判定される（Ｓ０９、変更判定ステップ）。契約情報に変更がある場合には、ステップＳ１０に進む。一方、契約情報に変更がない場合には、ステップＳ１２に進む。
【００４７】
ステップＳ１０では、リセット部４０９によって、ユーザ情報記憶部４０６に記憶されている契約情報が、契約情報取得部４０７によって取得された契約情報に更新される（リセットステップ）。また、更新された契約情報に対応する規制情報が、リセット部４０９によってリセットされる（Ｓ１１、リセットステップ）。
【００４８】
ステップＳ１２では、ステップＳ０８において端末管理装置５から送信された位置登録情報がパケット交換機４ｂの位置登録応答送信部４０３によって受信され、その位置登録情報に基づいて位置登録応答が生成されて移動通信端末２に送信される。
【００４９】
ところで、移動体通信システム１において、上述のパケット交換機４ａ，ｂの構成を有さない場合では、以下のような不具合が生じるおそれがある。
【００５０】
即ち、従来の移動体通信システムにおいては、移動通信端末の位置登録エリアの変更（図７のＳ０１に相当）と、移動体通信システムへの契約情報の変更を示す情報の投入（図７、Ｓ０２）とがほぼ同じタイミングで行われた場合に、移動先の位置登録エリアのパケット交換機から転送された位置登録要求に応じて端末管理装置が位置登録を行っている間（図７、Ｓ０７）に、移動先の位置登録エリアのパケット交換機が移動する前の位置登録エリアのパケット交換機から規制情報を受信する（図７、Ｓ０４）。このとき、従来の移動体通信システムでは、本実施形態とは異なり契約情報は受信しない。また、その時点では、端末管理装置において位置登録が完了していないため、上記タイミングで契約情報の変更を示す情報の投入された場合には、移動する前の位置登録エリアのパケット交換機に端末管理装置から契約情報の変更を示す情報が送信されることになる（図７におけるＳ０２とＳ０７の間に送信される）。この場合、移動先の位置登録エリアのパケット交換機においては、規制情報のみを保持した状態で、位置登録の完了の応答と共に更新された契約情報を受信することになるので、新たに投入された契約情報と元々の契約情報とを比較することができない。そのため、移動先の位置登録エリアのパケット交換機において、契約情報が変更されたことを検出することができない。これにより、本来リセットされるべき規制情報のリセットがされず、規制が継続されるといった不具合が生じる。
【００５１】
これに対し、上述したように本実施形態によれば、移動通信端末２から位置登録要求情報を受信すると、移動通信端末２がパケット交換機４ｂの配下の位置登録エリアＬ２に移動する前に在圏していたパケット交換機４ａにユーザ情報を要求することで規制情報及び契約情報を取得して記憶する。そして、端末管理装置５から移動通信端末２の位置登録情報と共に契約情報を取得し、ユーザ情報記憶部４０６に記憶されている契約情報と端末管理装置５から取得した契約情報とを比較することで変更があるか否かを判定し、変更がある場合には契約情報を更新すると共に、規制情報をリセットする。これにより、移動体通信システム１への契約情報の変更を示す情報の投入と、移動通信端末２の位置登録エリアの変更とがほぼ同じタイミングで行われた場合であっても、パケット交換機４ｂにおいて契約情報の変更を検出することができるので、規制情報を確実にリセットすることができる。したがって、パケット通信における規制の誤制御を防止することができる。その結果、移動通信端末２のユーザに対して、最適なサービスを提供することができる。
【００５２】
本発明は上記実施形態に限られるものではない。上記実施形態では、図７において、パケット交換機４ａからパケット交換機４ｂへと規制情報及び契約情報がユーザ情報として同時に送信されているが、必ずしも規制情報と契約情報とが同時に送信されなくてもよい。この場合、端末管理装置５において移動通信端末２の位置登録が完了するまでに、パケット交換機４ａからパケット交換機４ｂへと契約情報が送信されればよい。
【００５３】
また、上記実施形態では、パケット通信のパケット交換機４ａ，４ｂ及び通信規制制御方法について例示したが、パケット通信以外の例えば通話を規制するための装置及び方法に適応されてもよい。
【図面の簡単な説明】
【００５４】
【図１】本発明の一実施形態に係る交換機を含む移動体通信システムの構成を示す図である。
【図２】パケット交換機のハードウェア構成を示す図である。
【図３】移動通信端末の構成を示すブロック構成図である。
【図４】パケット交換機の構成を示すブロック構成図である。
【図５】ユーザ情報が記憶されている一例を示す図である。
【図６】端末管理装置の構成を示すブロック構成図である。
【図７】移動通信体システムの処理を示すシーケンス図である。
【符号の説明】
【００５５】
２…移動通信端末、４ａ，４ｂ（４）…パケット交換機、５…端末管理装置、４０５…ユーザ情報取得部（情報取得手段）、４０６…ユーザ情報記憶部（情報記憶手段）、４０７…契約情報取得部（契約情報取得手段）、４０８…変更判定部（変更判定手段）、４０９…リセット部（リセット手段）、Ｌ１，Ｌ２…位置登録エリア（在圏エリア）。
【図１】
2010045590.tif 000003
【図２】
2010045590.tif 000004
【図３】
2010045590.tif 000005
【図４】
2010045590.tif 000006
【図５】
2010045590.tif 000007
【図６】
2010045590.tif 000008
【図７】
2010045590.tif 000009